(57)【要約】【課題】自動車が正しく移動しているかを容易に確認できるようにする。【解決手段】自動車１の対象物情報提供装置１０は、自動車１が進行する道路または周囲に存在する対象物であって自動車１の進行にともなって視認可能になる視野外の対象物（４１）についての情報を取得する対象物情報取得部２１と、視野外の対象物が有視界で視認可能となる前に、視野外の対象物の情報（５１）を出力する出力装置（１７）と、を有する。【選択図】図２
2019064318.tif 000002
【特許請求の範囲】
【請求項１】
車両が進行する道路または周囲に存在する対象物であって前記車両の進行にともなって視認可能になる視野外の対象物についての情報を取得する対象物情報取得部と、
視野外の前記対象物が有視界で視認可能となる前に、視野外の前記対象物の情報を出力する出力装置と、
を有する、
車両の対象物情報提供装置。
【請求項２】
前記出力装置は、
前記車両の乗員の視野に表示する表示装置であり、
乗員の視野の中心付近となる位置に、視野外の前記対象物の情報を視認可能に表示する、
請求項１記載の車両の対象物情報提供装置。
【請求項３】
前記出力装置は、視野外の前記対象物が有視界で視認可能となる前に、視野外の前記対象物の情報の出力を開始する、
請求項１または２記載の車両の対象物情報提供装置。
【請求項４】
前記出力装置は、出力していた視野外の前記対象物が有視界で視認可能となった場合、視野外の前記対象物の情報の出力を終了する、
請求項１から３のいずれか一項記載の車両の対象物情報提供装置。
【請求項５】
前記車両の位置および進行方向を取得する位置取得装置、を有し、
前記対象物情報取得部は、前記車両の位置および進行方向に基づいて、前記車両が進行する道路または周囲に存在する対象物を特定する、
請求項１から４のいずれか一項記載の車両の対象物情報提供装置。
【請求項６】
前記車両の乗員の視野を認識または推定する可視認識装置、を有し、
前記対象物情報取得部は、前記車両が進行する道路または周囲に存在する対象物から、前記可視認識装置により認識または推定された視野内のものを除いて、視野外の前記対象物を特定する、
請求項１から５のいずれか一項記載の車両の対象物情報提供装置。
【請求項７】
前記車両の車外を可視光により撮像する撮像装置、を有し、
前記対象物情報取得部は、前記車両が進行する道路または周囲に存在する対象物から、前記撮像装置による可視光の撮像画像において視認可能に撮像されているものを除いて、視野外の前記対象物を特定する、
請求項１から５のいずれか一項記載の車両の対象物情報提供装置。
【請求項８】
前記対象物情報取得部は、
視野外の前記対象物として複数がある場合、前記車両の近くのものを優先して特定する、
請求項１から７のいずれか一項記載の車両の対象物情報提供装置。
【請求項９】
前記対象物情報取得部は、
視野外の前記対象物として、前記車両が進行する道路に設けられた標識若しくは信号、または前記車両が進行する道路の近くのランドマークを特定する、
請求項１から８のいずれか一項記載の車両の対象物情報提供装置。
【発明の詳細な説明】
【技術分野】
【０００１】
本発明は、自動車といった車両の対象物情報提供装置に関する。
【背景技術】
【０００２】
自動車といった車両では、運転者を含む乗員が乗車し、運転者の操作により移動可能である。この場合、運転者は、車両に表示された案内経路にしたがって操作して移動することがある。
また、近年、自動車の運行安全性を高めるために、各種の情報を運転者へ提供するようになっている。たとえば、特許文献１では、ヘッドアップディスプレイに、視認が困難な衝突対象についての注意喚起を表示する。
また、近年、車両においては自動運転の開発が始まっている。
【先行技術文献】
【特許文献】
【０００３】
【特許文献１】特開２０１０−１７３６１９号公報
【発明の概要】
【発明が解決しようとする課題】
【０００４】
ところで、これらの車両の移動では、車両に乗車した運転者を含む乗員が、車両が正しく移動しているかを確認しようとすることがある。
たとえば、自動運転中の場合、降雪や豪雨などの気象条件により十分な視野が確保できない場合、または積雪や土砂崩れなどにより道路環境が変化している場合には、乗員は、車両が正しく移動しているかを自ら確認したいと考える可能性が高い。
【０００５】
しかしながら、乗員が車両の走行を自ら確認することは、必ずしも容易ではない。たとえば、初めて訪れる見知らぬ土地の道路の場合、しばらく訪れていない間に道路沿いの景色が変化している場合、または新たな道路ができて道路状況が変化している場合、自らの記憶などに基づいて確認することは困難である。この場合、乗員は、交差点の行き先標識や国道の番号標識などによりかろうじて確認できるだけである。
しかも、降雪や豪雨などにより周辺の景色を確認すること自体が難しい状況もあり得る。
これらの場合、車両が正しく移動しているかを確認するためには、乗員は長い時間をかけて車外を観察することになる。または、長い時間をかけて車外を観察しても、確認し切れない場合も考えられる。
【０００６】
このように、車両では、車両が正しく移動しているかを容易に確認できるようにすることが求められている。
【課題を解決するための手段】
【０００７】
本発明に係る車両の対象物情報提供装置は、車両が進行する道路または周囲に存在する対象物であって前記車両の進行にともなって視認可能になる視野外の対象物についての情報を取得する対象物情報取得部と、視野外の前記対象物が有視界で視認可能となる前に、視野外の前記対象物の情報を出力する出力装置と、を有する。
【０００８】
好適には、前記出力装置は、前記車両の乗員の視野に表示する表示装置であり、乗員の視野の中心付近となる位置に、視野外の前記対象物の情報を視認可能に表示する、とよい。
【０００９】
好適には、前記出力装置は、視野外の前記対象物が有視界で視認可能となる前に、視野外の前記対象物の情報の出力を開始する、とよい。
【００１０】
好適には、前記出力装置は、出力していた視野外の前記対象物が有視界で視認可能となった場合、視野外の前記対象物の情報の出力を終了する、とよい。
【００１１】
好適には、前記車両の位置および進行方向を取得する位置取得装置、を有し、前記対象物情報取得部は、前記車両の位置および進行方向に基づいて、前記車両が進行する道路または周囲に存在する対象物を特定する、とよい。
【００１２】
好適には、前記車両の乗員の視野を認識または推定する可視認識装置、を有し、前記対象物情報取得部は、前記車両が進行する道路または周囲に存在する対象物から、前記可視認識装置により認識または推定された視野内のものを除いて、視野外の前記対象物を特定する、とよい。
【００１３】
好適には、前記車両の車外を可視光により撮像する撮像装置、を有し、前記対象物情報取得部は、前記車両が進行する道路または周囲に存在する対象物から、前記撮像装置による可視光の撮像画像において視認可能に撮像されているものを除いて、視野外の前記対象物を特定する、とよい。
【００１４】
好適には、前記対象物情報取得部は、視野外の前記対象物として複数がある場合、前記車両の近くのものを優先して特定する、とよい。
【００１５】
好適には、前記対象物情報取得部は、視野外の前記対象物として、前記車両が進行する道路に設けられた標識若しくは信号、または前記車両が進行する道路の近くのランドマークを特定する、とよい。
【発明の効果】
【００１６】
本発明では、車両の進行にともなって視認可能になる視野外の対象物の情報を、それが有視界で視認可能となる前に出力する。
これにより、乗員は、視野外の対象物の情報を得た状態で、視野外の対象物を視認して確認できる。
たとえば、視野外の対象物が有視界で視認可能となる前に、視野外の対象物の情報の出力を開始することにより、情報を得た直後に、視野外の対象物を視認して確認できる。
視野外の対象物の情報が視認と同時的に提供されることにより、乗員は、車両が正しく移動していることを容易に確認できる。
特に、乗員に情報を出力して視認させる対象物を、車両に乗車した乗員の視野外のものとすることにより、車両が進行する道路または周囲において乗員が視認し易い対象物を確認対象にすることができる。
【図面の簡単な説明】
【００１７】
【図１】図１は、本発明の第１実施形態に係る自動車および走行する道路の一例の模式的な説明図である。
【図２】図２は、図１の自動車に搭載される対象物情報提供装置の構成の説明図である。
【図３】図３は、図２の対象物情報取得部による処理の一例を示すフローチャートである。
【図４】図４は、図２の出力制御部による処理の一例を示すフローチャートである。
【図５】図５は、視界良好時において視野外の対象物の情報を提供する状態の一例の説明図である。
【図６】図６は、第２実施形態における対象物情報取得部の処理の一例を示すフローチャートである。
【図７】図７は、視界不良時において視野外の対象物の情報を提供する状態の一例の説明図である。
【発明を実施するための形態】
【００１８】
以下、本発明の実施形態を、図面に基づいて説明する。
【００１９】
［第１実施形態］
図１は、本発明の第１実施形態に係る自動車１および走行する道路の一例の模式的な説明図である。
図１の道路沿いには、制限速度や車道の番号などを表示する複数の道路標識が離散的に並べて設けられる。また、他の道路が分岐する交差点の手前には、進路ごとの行き先を表示する道路標識が設けられる。また、道路の路面には、横断歩道のゼブラマーク、制限速度のマーク、停止線のマークなどの道路標識が描画されてもよい。
そして、自動車１は、乗員室に乗員を乗せた状態で道路を走行する。自動車１は、自動運転による制御または乗員の操作により加速し、減速し、左右へ操舵される。これにより、自動車１は、制限速度で道路を走行し、停止線において停車し、交差点で所望の方向へ進行し、乗員の目的地などへ向けて移動できる。
【００２０】
ところで、このような自動車１の移動において、自動車１に乗車した運転者を含む乗員が、自動車１が正しく移動しているかを確認したい場合がある。
たとえば、自動運転中の場合、降雪や豪雨などの気象条件により十分な視野が確保できない場合、または積雪や土砂崩れなどにより道路環境が変化している場合には、乗員は、自動車１が正しく移動しているかを自ら確認したいと考える可能性が高い。
【００２１】
しかしながら、乗員が自動車１の走行を自ら確認することは、必ずしも容易ではない。たとえば、初めて訪れる見知らぬ土地の道路の場合、しばらく訪れていない間に道路沿いの景色が変化している場合、または新たな道路ができて道路状況が変化している場合、自らの記憶などに基づいて確認することは困難である。この場合、乗員は、道路において離散的に設けられる交差点の行き先標識４２や国道の番号標識などによりかろうじて確認できるだけである。
しかも、降雪や豪雨などにより周辺の景色を確認すること自体が難しい状況もあり得る。
したがって、自動車１が正しく移動しているかを確認しようとする場合、乗員は長い時間をかけて車外を観察することが必要になる。しかも、長い時間をかけて車外を観察したとしても、十分に確認できないこともあり得る。
【００２２】
このように、自動車１では、自動車１が正しく移動しているかを容易に確認できるようにすることが求められている。
【００２３】
図２は、図１の自動車１に搭載される対象物情報提供装置１０の構成の説明図である。
図２の対象物情報提供装置１０は、ＧＰＳ（Global Positioning System）受信装置１１、無線通信装置１２、車外カメラ１３、車内カメラ１４、記憶部１５、タイマ１６、表示装置１７、およびこれらが接続されるマイクロコンピュータ１８、を有する。
マイクロコンピュータ１８は、たとえばＥＣＵ（Electric Control Unit）として自動車１に設けられるものでよい。マイクロコンピュータ１８は、たとえば記憶部１５に記憶されたプログラムを読み込んで実行する。これにより、マイクロコンピュータ１８に、対象物情報取得部２１、出力制御部２２、が実現される。
【００２４】
ＧＰＳ受信装置１１は、複数のＧＰＳ衛星からの電波を受信し、これにより自動車１の位置情報を得る。また、ＧＰＳ受信装置１１は、時間を変えて計測された複数の位置に基づいて、自動車１の移動方向および移動速度を得ることもできる。
【００２５】
無線通信装置１２は、たとえば商用携帯用電波や小規模無線通信電波を送受することにより、図示外のサーバなどとデータを送受する。
【００２６】
車外カメラ１３は、自動車１の前方などの周囲を撮像するカメラである。可視光の車外の撮像画像には、自動車１が走行する道路の路面、道路沿いの標識などの視認可能な状態にある対象物が撮像され得る。
なお、視認可能な状態にある対象物とは、車内の乗員から、他の物体により遮られることなく視認可能な状態にあるものをいう。そして、悪天候や積雪などの変化する走行環境によりたとえば一時的に視認がし難くなった状態にあるものは、視認可能な状態にある対象物に含まれる。
【００２７】
車内カメラ１４は、車室を撮像するカメラである。車内の撮像画像には、たとえば乗員の視野を認識または推定するために用いることができる顔などが撮像され得る。
【００２８】
記憶部１５は、マイクロコンピュータ１８が実行するプログラムやそのプログラムの実行の際に使用するデータなどを記憶する。本実施形態では、たとえば視野外の対象物の位置、表示内容などのデータが記憶されてよい。視野外の対象物には、たとえば自動車１が進行する道路の路面に描画された標識、道路沿いに設けられた標識および信号、自動車１が進行する道路の近くに存在するランドマーク、などがある。記憶部１５には、これらの標識、信号、ランドマークそのものの画像や、対応する画像が記憶される。
【００２９】
タイマ１６は、時間を計測する。タイマ１６は、制御タイミングなどを計測できる。
【００３０】
表示装置１７は、乗員に対して画像を表示するものである。本実施形態では、乗員の視野に対して画像を表示する。このような表示装置１７には、たとえば、乗員に装着するヘッドマウントディスプレイ装置、フロントガラスに映像を投影するプロジェクタ装置、がある。
【００３１】
対象物情報取得部２１は、たとえば自動運転中に自動車１が進行する道路または周囲に存在する対象物であって自動車１の進行にともなって乗員によりこれから視認可能になる予想の視野外の対象物を特定し、その特定した対象物に対応する画像情報を出力制御部２２に表示させる。
【００３２】
出力制御部２２は、表示装置１７による表示を制御する。
基本的には、視野外の対象物が有視界で視認可能となる前に、視野内として視認可能な状態になっていない視野外の対象物に対応する画像を、乗員の視野の中心付近となる位置に視認可能に表示させる。
また、表示されている視野外の対象物が有視界で視認可能となった場合、その後に直ちに視野外の対象物の画像の表示を終了する。
【００３３】
次に、対象物情報提供装置１０による、視野外の対象物の情報の提供処理について説明する。
図３は、図２の対象物情報取得部２１による処理の一例を示すフローチャートである。
対象物情報取得部２１は、図３の処理を繰り返し実行する。
【００３４】
図３の対象物情報の取得処理において、対象物情報取得部２１は、まず、自動車１の位置および進行方向を取得し（ステップＳＴ１）、自動車１が走行する道路において進行方向に存在する対象物や該道路の周囲に存在する対象物を特定する（ステップＳＴ２）。
たとえば、対象物情報取得部２１は、ＧＰＳ受信装置１１から、自動車１の位置および進行方向を取得する。
そして、対象物情報取得部２１は、取得した自動車１の位置および進行方向に基づいて、自動車１の進路前方の所定の抽出範囲（たとえば１分程度で移動する範囲）を特定し、その抽出範囲内に存在する対象物の情報を記憶部１５から取得する。
これにより、対象物情報取得部２１は、自動車１が走行する道路に存在する対象物や該道路の周囲に存在する１乃至複数の対象物を特定できる。
【００３５】
次に、対象物情報取得部２１は、自動車１に乗車している乗員の視野を認定し（ステップＳＴ３）、視野外の対象物を特定する（ステップＳＴ４）。
たとえば、対象物情報取得部２１は、車内カメラ１４による車内の撮像画像に基づいて乗員の視線および視野範囲を認定する。なお、対象物情報取得部２１は、予め設定された乗員の視野の情報を取得してもよい。
そして、対象物情報取得部２１は、認定した乗員の視線および視野範囲に基づいて、既に抽出した１乃至複数の対象物の中で、該視野の範囲外のものを特定する。自動車１が進行する道路または周囲に存在する１乃至複数の対象物から、認識または推定された視野内のものを除いて、視野外の対象物を特定する。
【００３６】
次に、対象物情報取得部２１は、視野外の対象物が複数であるか否かを判断する（ステップＳＴ５）。
複数の視野外の対象物が特定されている場合、対象物情報取得部２１は、最も自動車１の近くのものを選択する（ステップＳＴ６）。現在の自動車１の位置に最も近いものを選択する。
【００３７】
１つの視野外の対象物を特定または選択した後、対象物情報取得部２１は、該１つの視野外の対象物の表示を出力制御部２２に指示する（ステップＳＴ７）。対象物が１つの場合には、その表示を指示する。
【００３８】
図４は、図２の出力制御部２２による処理の一例を示すフローチャートである。
出力制御部２２は、図４の出力処理を、繰り返し実行する。出力制御部２２は、対象物情報取得部２１から出力指示があった場合に図４の出力処理を実行してもよい。
【００３９】
図４の対象物情報の出力処理において、出力制御部２２は、まず、対象物情報取得部２１からの出力指示（表示指示）の有無を確認する（ステップＳＴ１１）。出力指示がない場合、出力制御部２２は、図４の処理を終了する。
【００４０】
出力指示がある場合、出力制御部２２は、出力指示に係る視野外の対象物が通常のクリアな有視界で視認可能な距離になりそうか否かを繰り返し判断する（ステップＳＴ１２）。
そして、通常のクリアな有視界で視認可能な距離になりそうである場合、有視界で視認される前に、出力制御部２２は、出力指示に係る視野外の対象物の情報を、表示装置１７に表示させる（ステップＳＴ１３）。出力制御部２２は、たとえば記憶部１５から、出力指示に係る視野外の対象物に対応する表示マークを読み込み、それを乗員の視野の中心付近となる位置に表示させる。
これにより、表示装置１７は、乗員の視野の中心付近となる位置に、出力指示に係る視野外の対象物に対応する表示マークの表示を開始する。
【００４１】
表示を開始した後、出力制御部２２は、出力指示に係る視野外の対象物が実際に有視界で視認可能になったか否かを繰り返し判断する（ステップＳＴ１４）。
そして、実際に有視界で視認可能になった場合、出力指示に係る視野外の対象物の情報の表示を終了させる（ステップＳＴ１５）。表示装置１７は、表示していた視野外の対象物に対応する表示マークの表示を終了する。
【００４２】
図５は、視界良好時において視野外の対象物の情報を提供する状態の一例の説明図である。
【００４３】
図５（Ａ）は、図１の位置にある自動車１から前方を視認した場合の車窓風景である。視界良好であるため、道路の左側には、複数の速度標識４１が道路沿いに離散的に並べて視認可能な状態にある。道路上の交差点手前に設けられた行き先標識４２は、遠くにあるため視認可能な状態にない。
そして、自動車１が道路に沿って前へ進行すると、図５（Ｂ）に示すように、図中に破線で示した視野の中心位置に、視野外の行き先標識の画像５２が表示される。
その後、行き先標識４２を有視界で視認可能な距離まで自動車１が進むと、図５（Ｃ）に示すように、実際の行き先標識４２は、車内から視認可能となる。そして、行き先標識の画像５２は消去される。
この場合、乗員は、行き先標識４２が視認可能となる前に、図５（Ｂ）の視野内に表示された行き先標識の画像５２を視認できる。その後、図５（Ｃ）に示すように実際に行き先標識４２が視認可能な状態なると、乗員はその実際の行き先標識４２を視認できる。乗員は、画像として表示された行き先標識４２と、その直後に実際に視認した行き先標識４２とにより、自動車１が正しく進行していることを容易に確認できる。
【００４４】
以上のように、本実施形態では、自動車１の進行にともなって乗車している乗員によりこれから視認可能になる予定の視野外の対象物の情報を、それが有視界で視認可能となる前に出力する。これにより、乗員は、視野内として視認可能な状態になっていない視野外の前記対象物の情報を得た状態で、視野外の前記対象物を視認して確認できる。たとえば、視野外の対象物が有視界で視認可能となる前に、視野外の対象物の情報の出力を開始することにより、情報を得た直後に、視野外の前記対象物を視認して確認できる。視野外の対象物の情報と視認とを同時的に確認することにより、自動車１が正しく移動していることを容易に確認できる。
特に、乗員に情報を出力して視認させる対象物を、自動車１に乗車した乗員の視野外のものとすることにより、自動車１が進行する道路または周囲において乗員に視認し易い対象物を確認対象とすることができる。
【００４５】
本実施形態では、出力装置が自動車１の乗員の視野に表示する表示装置１７であり、乗員の視野の中心付近となる位置に、視野外の対象物の情報を視認可能に表示する。これにより、乗員は確実に視野外の対象物の情報を視認可することができる。
これに対して、自動車１の乗員の視野の外や周辺視野に表示した場合、乗員の状態によっては表示された情報を見逃す可能性がある。
【００４６】
本実施形態では、出力していた視野外の対象物が有界で視認可能となった場合、その直後の所定のタイミングで視野外の対象物の情報の出力を終了する。これにより、視野外の対象物がいつまでも出力され続けないようにできる。
また、視認可能となると直ちに表示を消すことにより、複数の視野外の対象物の画像を連続的に出力することが可能になる。その結果、乗員は、連続的に出力される複数の視野外の対象物に基づいてそれぞれを有視界で確認できる。乗員は、複数の連続的な確認をすることにより、自動車１が正しく移動していることについて確証を得ることが可能になる。
【００４７】
本実施形態では、自動車１の位置および進行方向に基づいて、自動車１が進行する道路または周囲に存在する対象物を特定する。そして、自動車１が進行する道路または周囲に存在する対象物から、可視認識装置により認識または推定された視野内のものを除いて、視野外の対象物を特定する。よって、実際に自動車１の進行にともなって乗車している乗員によりこれから視認可能になる予定の視野外の対象物を特定し、その情報を出力できる。
【００４８】
本実施形態では、視野外の対象物として利用可能なものが複数ある場合、自動車１の近くのものを優先して特定する。よって、特定して出力される視野外の対象物として、自動車１が進行する道路または周囲に存在する不動産または定置物といった固定的な視界遮蔽物により視認できなくなる可能性が少ないと推定される対象物を選択して出力することができる。また、悪天候下でも視認し易い視野外の対象物を選択して出力することができる。
【００４９】
［第２実施形態］
次に、第２実施形態に係る自動車１の対象物情報提供装置１０について説明する。以下の説明では、第１実施形態と同一の符号を使用し、主に第１実施形態との相違点について説明する。
【００５０】
図６は、第２実施形態における対象物情報取得部２１の処理の一例を示すフローチャートである。
図６のステップＳＴ２において進行方向に存在する対象物などを特定した後、対象物情報取得部２１は、実際の有視界に対応する車外の撮像画像を取得し（ステップＳＴ２１）、視野外の対象物を特定する（ステップＳＴ２２）。
たとえば、対象物情報取得部２１は、車外カメラ１３から、可視光による車外の撮像画像を取得する。可視光による車外の撮像画像は、実際に乗員が有視界で視認可能な車外を撮像した画像に好適に対応し得る。
そして、対象物情報取得部２１は、取得した可視光による車外の撮像画像に基づいて、撮像画像に実際に視認可能に撮像されている対象物を特定する。
その後、予め特定していた視野外の対象物から、撮像された視野外の対象物を除いて、視認可能な状態にはない視野外の対象物を特定する。
【００５１】
次に、対象物情報取得部２１は、視野外の対象物が複数であるか否かを判断する（ステップＳＴ５）。
複数の視野外の対象物が特定されている場合、対象物情報取得部２１は、最も自動車１の近くのものを選択する（ステップＳＴ６）。現在の自動車１の位置に最も近いものを選択する。
１つの視野外の対象物を特定または選択した後、対象物情報取得部２１は、該１つの視野外の対象物の表示を出力制御部２２に指示する（ステップＳＴ７）。対象物が１つの場合には、その表示を指示する。
【００５２】
図７は、視界不良時において視野外の対象物の情報を提供する状態の一例の説明図である。
【００５３】
図７（Ａ）は、図１の位置ある自動車１から前方を視認した場合の車窓風景である。たとえば降雪などにより視界不良であるため、道路の左側には、道路沿いに離散的に並べて設けられた複数の速度標識４１の中の、手前の速度標識４１のみが視認可能な状態にある。奥側の速度標識４１および道路上の交差点手前に設けられた行き先標識４２は、視認可能な状態にない。
このため、自動車１が道路に沿って前へ進行すると、図７（Ｂ）に示すように、図中に破線で示した視野の中心位置に、視野外の奥側の速度標識の画像５１が表示される。
さらに自動車１が道路に沿って前へ進行すると、図７（Ｃ）に示すように、視野外の奥側の速度標識４１が視認可能になる。そして、奥側の速度標識の画像５１は消去され、新たに視野外の行き先標識の画像５２が、視野の中心位置に表示される。
その後さらに自動車１が道路に沿って前へ進行すると、図７（Ｄ）に示すように、行き先標識４２が視認可能になる。そして、行き先標識の画像５２は消去される。
この場合、乗員は、視界不良であるにもかかわらず、視野外の奥側の速度標識４１と、視野外の行き先標識４２とを、視野の中心位置に表示された画像として認識できる。そして、それぞれの画像の認識後に実際にそれぞれの視野外の標識を視認することができる。
乗員は、画像として表示された標識と、その直後に実際に視認した標識とにより、自動車１が正しく進行していることを容易に確認できる。特に、複数の標識について連続的に確認できるので、自動車１が正しく進行していることについて確証を得ることができる。
【００５４】
以上のように、本実施形態では、自動車１の位置および進行方向に基づいて、自動車１が進行する道路または周囲に存在する対象物を特定する。そして、自動車１が進行する道路または周囲に存在する対象物から、実際に撮像装置による可視光の撮像画像において視認可能に撮像されているものを除いて、視野外の対象物を特定する。よって、実際に視認されていない視野外の対象物であって、自動車１の進行にともなって乗車している乗員によりこれから視認可能になる予定の視野外の対象物を特定し、その情報を出力できる。
しかも、撮像装置による可視光の撮像画像において視認可能に撮像されているものを除くようにしているので、降雪や豪雨などの気象条件により十分な視野が確保できない場合であっても、その実際の視野に基づいて、視野外の対象物を特定できる。これにより、十分な視野が得られないために近づいたとしても視認が困難となるように遠方のランドマークではなく、自動車１が進行する道路に設けられた標識若しくは信号などを視野外の対象物として特定することができる。その結果、十分な視野が確保できない場合であっても、道路の近くの視野外の対象物により、自動車１が正しく移動していることを確認できる。
【００５５】
以上の実施形態は、本発明の好適な実施形態の例であるが、本発明は、これに限定されるものではなく、発明の要旨を逸脱しない範囲において種々の変形または変更が可能である。
【符号の説明】
【００５６】
１…自動車（車両）、１０…対象物情報提供装置、１１…ＧＰＳ受信装置、１２…無線通信装置、１３…車外カメラ、１４…車内カメラ、１５…記憶部、１６…タイマ、１７…表示装置（出力装置）、１８…マイクロコンピュータ、２１…対象物情報取得部、２２…出力制御部、４１…速度標識（視野外の対象物）、４２…行き先標識（視野外の対象物）、５１…速度標識の画像（視野外の対象物の情報）、５２…行き先標識の画像（視野外の対象物の情報）
【図１】
2019064318.tif 000003
【図２】
2019064318.tif 000004
【図３】
2019064318.tif 000005
【図４】
2019064318.tif 000006
【図５】
2019064318.tif 000007
【図６】
2019064318.tif 000008
【図７】
2019064318.tif 000009